【手続補正書】
【提出日】平成26年2月25日(2014.2.25)
【手続補正１】
【補正対象書類名】特許請求の範囲
【補正対象項目名】全文
【補正方法】変更
【補正の内容】
【特許請求の範囲】
【請求項１】
操作入力により動作を指示する操作部と、
レンズを介して入射する被写体の入射光により第１の処理フレームの間に挿入されている垂直同期信号毎に前記第１の処理フレームで映像信号を出力する第１の撮像素子を有する撮像部の動作を制御する撮像制御部と、
前記撮像素子が発生させる前記垂直同期信号の発生回数を計数する計数部と、
制御信号を伝送する制御ラインで接続される他の撮像装置であって、前記他の撮像装置が有する第２の撮像素子が発生させ、前記他の撮像装置から通知される第２の処理フレームの間に挿入されている垂直同期信号の発生回数と、前記第１の処理フレームの間に挿入されている垂直同期信号の発生回数との差分値により前記第２の処理フレームの間に挿入されている垂直同期信号の発生回数を算出し、前記第２の処理フレームの間に挿入されている垂直同期信号の発生回数に基づいて、前記他の撮像装置が所定期間の経過後に指示された動作を開始するタイミング及び前記操作入力による指示を前記他の撮像装置に通知すると共に、前記操作入力がされた時点より前記所定期間の経過後に通知した前記動作を行う制御部と、を備える
撮像装置。
【請求項２】
前記計数部は、前記撮像素子が発生させる前記垂直同期信号の発生回数を前記第１の処理フレームのフレーム数として計数し、
前記制御部は、前記第１の処理フレームの垂直同期信号と前記第２の処理フレームの垂直同期信号が発生するタイミングを予め合わせ、前記他の撮像装置が前記第２の処理フレームの間に挿入されている垂直同期信号の発生回数を前記第２の処理フレームのフレーム数として計数する場合に、前記第２の撮像素子が前記垂直同期信号を発生させる度に前記他の撮像装置から受け取った前記第２の処理フレームのフレーム数と、前記第１の処理フレームのフレーム数との間で算出したフレーム数の差分値が複数のフレーム期間で一定である場合に算出した前記第２の処理フレームのフレーム数に前記複数のフレーム期間を加えたフレーム数を前記他の撮像装置が動作を開始するタイミングとして前記他の撮像装置に通知する
請求項１記載の撮像装置。
【請求項３】
前記制御部は、前記第１の処理フレームの期間内に前記第１の処理フレームのフレーム数を前記他の撮像装置に通知できない場合、又は前記他の撮像装置から前記第１の処理フレームの期間内に前記第２の処理フレームのフレーム数を受け取ることができない場合に、前記第１の処理フレームに続くフレーム期間にわたって前記第１の処理フレームのフレーム数を前記他の撮像装置に通知し、又は前記他の撮像装置から前記第２の処理フレームのフレーム数を受け取る
請求項１又は２記載の撮像装置。
【請求項４】
前記制御部は、所定の回数以上にわたって求めた前記差分値とは異なる第２の差分値を前記所定の回数未満にわたって求めた場合に、前記第２の差分値を破棄する
請求項１〜３のいずれか１項に記載の撮像装置。
【請求項５】
前記操作部の操作入力によって指示される動作には、撮像の開始若しくは停止のいずれかが含まれ、前記第１及び第２の処理フレームには、撮像フレーム又は再生フレームのいずれかが含まれる
請求項１〜４のいずれか１項に記載の撮像装置。
【請求項６】
操作入力により動作を指示することと、
レンズを介して入射する被写体の入射光により第１の処理フレームの間に挿入されている垂直同期信号毎に前記第１の処理フレームで映像信号を出力する第１の撮像素子を有する撮像部の動作を制御することと、
前記撮像素子が発生させる前記垂直同期信号の発生回数を計数することと、
制御信号を伝送する制御ラインで接続される他の撮像装置であって、前記他の撮像装置が有する第２の撮像素子が発生させ、前記他の撮像装置から通知される第２の処理フレームの間に挿入されている垂直同期信号の発生回数と、前記第１の処理フレームの間に挿入されている垂直同期信号の発生回数との差分値により前記第２の処理フレームの間に挿入されている垂直同期信号の発生回数を算出し、前記第２の処理フレームの間に挿入されている垂直同期信号の発生回数に基づいて、前記他の撮像装置が所定期間の経過後に指示された動作を開始するタイミング及び前記操作入力による指示を前記他の撮像装置に通知すると共に、前記操作入力がされた時点より前記所定期間の経過後に通知した前記動作を行うことと、を含む
同期制御方法。
【請求項７】
操作入力により動作を指示する操作部と、
記録部から読み出されて再生される映像信号の第１の処理フレームの間に挿入されている垂直同期信号の発生回数を計数する計数部と、
制御信号を伝送する制御ラインで接続される他の再生装置であって、前記他の再生装置が有する撮像素子が発生させ、前記他の再生装置から通知される第２の処理フレームの間に挿入されている垂直同期信号の発生回数と、前記第１の処理フレームの間に挿入されている垂直同期信号の発生回数との差分値により前記第２の処理フレームの間に挿入されている垂直同期信号の発生回数を算出し、前記第２の処理フレームの間に挿入されている垂直同期信号の発生回数に基づいて、前記他の再生装置が所定期間の経過後に指示された動作を開始するタイミング及び前記操作入力による指示を前記他の再生装置に通知すると共に、前記操作入力がされた時点より前記所定期間の経過後に通知した前記動作を行う制御部と、を備える
再生装置。
【請求項８】
操作入力により動作を指示する第１の操作部と、
レンズを介して入射する被写体の入射光により第１の処理フレームの間に挿入されている垂直同期信号毎に前記第１の処理フレームで映像信号を出力する第１の撮像素子を有する撮像部の動作を制御する第１の撮像制御部と、
前記第１の撮像素子が発生させる前記垂直同期信号の発生回数を計数する第１の計数部と、
制御信号を伝送する制御ラインで接続される第２の撮像装置であって、前記第２の撮像装置が有する第２の撮像素子が発生させ、前記第２の撮像装置から通知される第２の処理フレームの間に挿入されている垂直同期信号の発生回数と、前記第１の処理フレームの間に挿入されている垂直同期信号の発生回数との差分値により前記第２の処理フレームの間に挿入されている垂直同期信号の発生回数を算出し、前記第２の処理フレームの間に挿入されている垂直同期信号の発生回数に基づいて、前記第２の撮像装置が所定期間の経過後に指示された動作を開始するタイミング及び前記操作入力による指示を前記第２の撮像装置に通知すると共に、前記操作入力がされた時点より前記所定期間の経過後に通知した前記動作を行う第１の制御部と、を有する第１の撮像装置と、
レンズを介して入射する被写体の入射光により第２の処理フレームの間に挿入されている垂直同期信号毎に前記第２の処理フレームで映像信号を出力する第２の撮像素子を有する第２の撮像部の動作を制御する第２の撮像制御部と、
前記撮像素子が発生させる前記垂直同期信号の発生回数を計数する第１の計数部と、
前記第２の撮像素子が発生させる前記垂直同期信号の発生回数を計数する第２の計数部と、
前記第１の撮像装置に第２の処理フレームの間に挿入されている垂直同期信号の発生回数を通知し、前記第１の撮像装置から受け取った前記所定期間の経過後に指示された動作を開始するタイミング及び前記操作入力による指示に基づいて、前記操作入力がされた時点より前記所定期間の経過後に指示された動作を行う第２の制御部と、を有する第２の撮像装置と、を備える
立体映像撮像システム。